(57)【要約】【課題】軸筒４内に収容した三本の筆記体の筆記先端部を軸筒４の先端口３ａより出没させる繰出式多芯筆記具１において、各筆記体の筆記先端部を軸筒４の軸心に沿って先端口３ａから突出させることができる繰出式多芯筆記具１を得る。【解決手段】ホルダー本体１１の掛止突起１１１ａ〜１１１ｃを掛止窓１７ａの内方へ突出させた支持突部Ｓ１〜Ｓ３に引っ掛けながら回転筆記ユニット１０を軸筒４内で回転させて回転筆記ユニット１０の三本の筆記体１６Ａ〜１６Ｃの何れか一本を軸筒４の軸心に一致させた上で、ノック体５をノック操作することにより、筆記体の筆記先端部１６１Ａ〜１６１Ｃを軸筒４の軸心に沿って先端口３ａから突出させる。【選択図】図１５
2013091258.tif 000002
【特許請求の範囲】
【請求項１】
軸筒内に収容した三本の筆記体の筆記先端部を軸筒の先端口より出没させる繰出式多芯筆記具において、軸筒内にカム溝を設け、該カム溝に沿って前後動する摺動突起を有したノック体と、前記カム溝を摺動して当該カム溝の前端部に設けた係止部へ係止する係止突起を有した回転カムとを、前記ノック体に形成した傾斜面で構成する凹凸状の噛合部に、前記回転カムに形成した噛合部に噛合う被噛合部を噛合わせて配設し、前記回転カムと前記軸筒に設けた保持部との間にバネ体を配設して当該回転カムを後方へ弾発し、前記ノック体を押圧することにより前記回転カムおよび当該回転カムに連接した押棒を前後動可能とし、三本の筆記体と、断面が略三角形で軸心に沿って長尺に形成されたホルダー本体の３つの角部側にそれぞれ設けた各貫通孔へバネ体および当該バネ体により後方へ付勢されるピン体を配設して形成した筆記体ホルダーとを、前記筆記体の後端部と前記ピン体の前端部とを連接して一体と成した回転筆記ユニットを、前記軸筒の内部を横断し中央に掛止窓を有した前方壁と後方壁との間に前記ホルダー本体が位置するように配し、且つ前記ホルダー本体の貫通孔の周囲に突設した掛止突起が前記前方壁および後方壁の掛止窓に掛止されて前記筆記体および前記ピン体が前記前方壁および後方壁の掛止窓より突出し、前記軸筒を横向きにした状態で軸周りに回転させることにより、前記ホルダー本体の掛止突起を前記掛止窓の内方へ突出させた支持突部に引っ掛けながら前記回転筆記ユニットを前記軸筒内で回転させて前記回転筆記ユニットの三本の筆記体の何れか一本を前記軸筒の軸心に一致させた上で、前記ノック体をノック操作することにより、前記軸筒の軸心に一致した筆記体に連接したピン体を前記押棒で押動して、当該筆記体の筆記先端部を前記軸筒の軸心に沿って先端口から突出させることができる構造の繰出式多芯筆記具。
【発明の詳細な説明】
【技術分野】
【０００１】
本発明は、軸筒内に収容した複数の筆記体の筆記先端部を軸筒の先端口より出没させる繰出式多芯筆記具に関する。
【背景技術】
【０００２】
従来より繰出式多芯筆記具は、その出没操作において、軸筒の側面から露出させた押子をスライド操作して当該押子に連設された筆記体を前進させたり、前軸に対して後軸を回転操作して後軸内に設けたカム山を回転させ当該カム山に当接する押子に連接された筆記体を前進させることにより、前進した筆記体の筆記先端部を軸筒の先端口から突出させる構造が採用されている。また一般的に繰出式多芯筆記具では、軸筒の軸心から径方向に離れた位置に複数の筆記体が配置されていることから、先端口から筆記先端部を突出させた際には、特開２００１−１２１８８２号公報に記載されているように、リフィール（筆記体）が後方から前方に向かって軸筒の中心方向へ曲がり、筆記先端部が先端口から傾斜した状態で突出し、結果、各筆記体の筆記先端部がそれぞれ異なる方向に傾斜して先端口から突出することから、筆記時に使用者が違和感を感じる場合があった。軸筒内に三本の筆記体を放射状に収容した構造では、それぞれが１２０度ずつ異なる方向に傾いて先端口から突出することとなる。
【先行技術文献】
【特許文献】
【０００３】
【特許文献１】特開２００１−１２１８８２号公報
【発明の概要】
【発明が解決しようとする課題】
【０００４】
軸筒内に収容した三本の筆記体の筆記先端部を軸筒の先端口より出没させる繰出式多芯筆記具において、各筆記体の筆記先端部を軸筒の軸心に沿って先端口から突出させることができる繰出式多芯筆記具を得る。
【課題を解決するための手段】
【０００５】
本発明は、
「軸筒内に収容した三本の筆記体の筆記先端部を軸筒の先端口より出没させる繰出式多芯筆記具において、軸筒内にカム溝を設け、該カム溝に沿って前後動する摺動突起を有したノック体と、前記カム溝を摺動して当該カム溝の前端部に設けた係止部へ係止する係止突起を有した回転カムとを、前記ノック体に形成した傾斜面で構成する凹凸状の噛合部に、前記回転カムに形成した噛合部に噛合う被噛合部を噛合わせて配設し、前記回転カムと前記軸筒に設けた保持部との間にバネ体を配設して当該回転カムを後方へ弾発し、前記ノック体を押圧することにより前記回転カムおよび当該回転カムに連接した押棒を前後動可能とし、三本の筆記体と、断面が略三角形で軸心に沿って長尺に形成されたホルダー本体の３つの角部側にそれぞれ設けた各貫通孔へバネ体および当該バネ体により後方へ付勢されるピン体を配設して形成した筆記体ホルダーとを、前記筆記体の後端部と前記ピン体の前端部とを連接して一体と成した回転筆記ユニットを、前記軸筒の内部を横断し中央に掛止窓を有した前方壁と後方壁との間に前記ホルダー本体が位置するように配し、且つ前記ホルダー本体の貫通孔の周囲に突設した掛止突起が前記前方壁および後方壁の掛止窓に掛止されて前記筆記体および前記ピン体が前記前方壁および後方壁の掛止窓より突出し、前記軸筒を横向きにした状態で軸周りに回転させることにより、前記ホルダー本体の掛止突起を前記掛止窓の内方へ突出させた支持突部に引っ掛けながら前記回転筆記ユニットを前記軸筒内で回転させて前記回転筆記ユニットの三本の筆記体の何れか一本を前記軸筒の軸心に一致させた上で、前記ノック体をノック操作することにより、前記軸筒の軸心に一致した筆記体に連接したピン体を前記押棒で押動して、当該筆記体の筆記先端部を前記軸筒の軸心に沿って先端口から突出させることができる構造の繰出式多芯筆記具。」である。
【０００６】
本発明では、回転筆記ユニットが軸筒内で回転しやすく、またホルダー本体の掛止突起が前掛止窓の支持突部に引っ掛かりやすくするために、ホルダー本体を、真鍮のように重い金属で成形することが好ましい。ホルダー本体の外側形状および軸筒の内面形状は、軸筒を横向きにした状態で軸周りに回転させた際に、三本の筆記体の何れか一本が軸筒の先端口に真っ直ぐな状態で突出できるようにすることが肝要であり、このとき軸筒の軸心から筆記体の中心が若干ずれていても構わない。押棒の先端は、軸筒の先端口に対して軸心において一致するようにし、軸筒の軸心と一致している筆記体に連接されたピン体のみを押動できるようにする。
【発明の効果】
【０００７】
本発明の繰出式多芯筆記具は前述したような構造なので、軸筒に収容した三本の筆記体の筆記先端部を軸筒の軸心に沿って先端口から突出させることができるものとなり、各筆記体の筆記先端部が先端口から真っ直ぐな状態で突出することから、筆記時に使用者が違和感を感じることがないものとなった。
【図面の簡単な説明】
【０００８】
【図１】図１は、本実施例の繰出式多芯筆記具における縦断面図である。
【図２】図２は、図１の状態の繰出式多芯筆記具を横断面で模式的に示した図である。
【図３】図３は、回転筆記ユニットの分解図である。
【図４】図４は、繰出式多芯筆記具の構成の一部を示す斜視図である。
【図５】図５は、図１に示した繰出式多芯筆記具の軸筒を横向きにした状態を横断面で模式的に示した図である。
【図６】図６は、図５の状態から右に１５度回転させた状態である。
【図７】図７は、図６の状態から右に１５度回転させた状態である。
【図８】図８は、図７の状態から右に１５度回転させた状態である。
【図９】図９は、図８の状態から右に１５度回転させた状態である。
【図１０】図９は、図８の状態から右に１５度回転させた状態である。
【図１１】図１１は、図１０の状態から右に１５度回転させた状態である。
【図１２】図１２は、図１１の状態から右に１５度回転させた状態である。
【図１３】図１３は、図１２の状態から右に１５度回転させた状態である。
【図１４】図１４は、図１３の状態における繰出式多芯筆記具の縦断面図である。
【図１５】図１５は、軸筒の先端口から筆記体の筆記先端部を突出させた状態を示す縦断面図である。
【図１６】図１６は、軸筒の先端口から筆記体の筆記先端部を突出させた時の回転筆記ユニットを示す図である。
【発明を実施するための形態】
【０００９】
以下、図面を参照して本発明における繰出式多芯筆記具の実施例について説明を行う。尚、説明を解りやすくするために、図面中の同様の部材、同様の部分については同じ番号を付してある。本実施例の説明においては軸筒の先端口側を前方と表現し、反対側を後方と表現する。
【００１０】
図１は、本実施例の繰出式多芯筆記具における縦断面図で、軸筒の先端口側を下に向けて立てた状態の図である。繰出式多芯筆記具１は、クリップ２ａを側面に形成した軸筒本体２の前方に口金３を装着して軸筒４を構成している。軸筒本体２の内面にはカム溝２ｂを形成してあり、カム溝２ｂに沿って前後動する摺動突起５ａを有したノック体５と、カム溝２ｂを摺動して当該カム溝２ｂの前端部に設けた係止部２ｃへ係止する係止突起６ａを有した回転カム６とを、ノック体５に形成した傾斜面で構成する凹凸状の噛合部５ｂに、回転カム６に形成した噛合部に噛合う被噛合部６ｂを噛合わせて配設し、回転カム６と軸筒４の内部に嵌着させた保持筒７の保持部７ａとの間にコイルバネ８を配設して回転カム６を後方へ弾発してある。また、本実施例では、回転カム６には前方が開口する凹部６ｃを形成してあり、凹部６ｃに形成した小径部６ｄに押棒９の後端部９ａを挿嵌し、凹部６ｃに形成した段部６ｅに押棒９の鍔部９ｂを当接させ、鍔部９ｂが前記コイルバネ８の後端で弾発されることにより回転カム６を後方へ弾発するようにしてあり、ノック体５をノック操作することにより回転カム６および回転カム６に連接した押棒９が、保持筒７の窓孔７ｂに挿通された状態で前後動するようにしてある。
【００１１】
次に、図１〜図４を用いて回転筆記ユニットの説明を行う。本実施例の回転筆記ユニット１０は、断面が略三角形で軸心に沿って長尺に形成されたホルダー軸体１１１とホルダー蓋体１１２とを嵌着させて成るホルダー本体１１の３つの角部側にそれぞれ貫通孔１２ａ，１２ｂ，１２ｃを形成し、各貫通孔内に、コイルバネ１３１，１３２，１３３およびピン体１４１，１４２，１４３を配して筆記体ホルダー１５を形成し、貫通孔１２ａの前方から黒色インキを収容したボールペンレフィル１６Ａを挿通すると共に、ボールペンレフィル１６Ａの後端部にピン体１４１の前端小径部１４１ａを挿嵌し、貫通孔１２ｂの前方から赤色インキを収容したボールペンレフィル１６Ｂを挿通すると共に、ボールペンレフィル１６Ｂの後端部にピン体１４２の前端小径部１４２ａを挿嵌し、貫通孔１２ｃの前方から青色インキを収容したボールペンレフィル１６Ｃを挿通すると共に、ボールペンレフィル１６Ｃの後端部にピン体１４３の前端小径部１４３ａを挿嵌し、回転筆記ユニット１０を形成してある。
【００１２】
また、貫通孔１２ａ，１２ｂ，１２ｃの後方からはピン体１４１，１４２，１４３の後端部１４１ｂ，１４２ｂ，１４３ｂを突出させており、各ピン体に形成した鍔部１４１ｃ，１４２ｃ，１４３ｃにコイルバネ１３１，１３２，１３３を当接させてピン体１４１，１４２，１４３およびピン体に連接したボールペンレフィル１６Ａ，１６Ｂ，１６Ｃを後方へ付勢し、各ピン体の後端部１４１ｂ，１４２ｂ，１４３ｂを前方へ押圧することで、コイルバネ１３１，１３２，１３３の弾発力に抗して押圧されたピン体と連接しているボールペンレフィルが前進し（図１６参照）、ピン体の後端部１４１ｂ，１４２ｂ，１４３ｂの押圧力を解除することで、コイルバネ１３１，１３２，１３３の弾発力により各ピン体の鍔部１４１ｃ，１４２ｃ，１４３ｃがホルダー蓋体１１２の底面に当接する位置（図４参照）まで各ボールペンレフィルが後退する構造である。
【００１３】
次に、回転筆記ユニット１０と軸筒４との関係を説明する。軸筒４の前方内部には、放射状に三方へ拡がる開口部１７１ａ，１７２ａ，１７３ａを有する掛止窓１７ａ（図４参照）を形成した前方壁１７ｂを設けた円環部材１７を装着し、軸筒４の中央内部には、前記掛止窓１７ａと同形状の開口部１８１ａ，１８２ａ，１８３ａを有する掛止窓１８ａ（図４参照）を形成した後方壁１８ｂを設けた円環部材１８を装着してある。前方壁１７ｂの掛止窓１７ａには、ホルダー本体１１の前端で貫通孔１２ａ，１２ｂ，１２ｃの周囲に突設した円筒状の掛止突起１１１ａ，１１１ｂ，１１１ｃを掛止させて掛止窓１７ａよりボールペンレフィル１６Ａ，１６Ｂ，１６Ｃを突出させ、後方壁１８ｂの掛止窓１８ａには、ホルダー本体１１の後端で貫通孔１２ａ，１２ｂ，１２ｃの周囲に突設した円筒状の掛止突起１１２ａ，１１２ｂ，１１２ｃを掛止させて掛止窓１８ａより各ピン体の後端部１４１ｂ，１４２ｂ，１４３ｂを突出させてある。尚、円環部材１７と円環部材１８とは、開口部１７１ａ，１７２ａ，１７３ａと開口部１８１ａ，１８２ａ，１８３ａの位置関係が互いに合致するよう軸筒４に装着してあり、ホルダー本体１１の前後端部が前方壁１７ｂおよび後方壁１８ｂに当接することでホルダー本体１１の前後動を規制してある。図２では、図１の状態の繰出式多芯筆記具１を横断面で模式的に示しており、回転筆記ユニット１０のホルダー本体１１が前方壁１７ｂの掛止窓１７ａの内方へ突出させた支持突部Ｓ１と支持突部Ｓ２に当接している。
【００１４】
次に、図５〜図１６を用いて、本実施例の繰出式多芯筆記具１を使用する状態について説明を行う。図５〜図１３では、軸筒４を横向きにした状態で軸周りに右回転させ、軸筒２の内部で回転筆記ユニット１０が１５度ずつ１２０度回転する状態を横断面で模式的に示しており、ホルダー本体１１の掛止突起１１１ａは塗り潰し、掛止突起１１１ｂは縦に半分を塗り潰し、掛止突起１１１ｃは中抜きの塗り潰しを行い、動きが解りやすいようにしてある。尚、図５〜図１３では、軸筒４の前方における回転筆記ユニット１０と円環部材１７との動きについて説明を行うが、軸筒４の中央部では回転筆記ユニット１０と円環部材１８とが同様の動きとなっている。
【００１５】
図５は、図１に示した繰出式多芯筆記具１の軸筒４を横向きにした状態を示しており、この状態では、ホルダー本体１１の掛止突起１１１ａと掛止突起１１１ｃとの間を、円環部材１７の掛止窓１７ａの内方へ突出させた支持突部Ｓ３で支持している。本実施例の繰出式多芯筆記具１は、図５の状態から軸筒４を７５度右回転させた図１０の状態までは、掛止突起１１１ａと掛止突起１１１ｃとの間に支持突部Ｓ３が引っ掛かった状態での回転が行われ、図１０からさらに１５度右回転させて図５の状態から９０度回転させた図１１の状態になった時に、重力で、掛止突起１１１ｃが支持突部Ｓ３から離れると共に掛止突起１１１ａが支持突部Ｓ３から滑り落ちる。図１１からさらに１５度右回転させて図５の状態から１０５度回転させた図１２の状態では、図１１から図１２の状態になる際に、支持突部Ｓ３に引っ掛かった掛止突起１１１ａを支点にしてホルダー本体１１が右回転しながら軸筒４内で落下し、落下位置にある支持突部Ｓ２で掛止突起１１１ｃと掛止突起１１１ｂとを支持する。図１２からさらに１５度右回転させて図５の状態から１２０度回転させると、塗り潰した掛止突起１１１ａが軸筒４の軸心に一致した図１３の状態になる。図１４は、図１３の状態における繰出式多芯筆記具１の縦断面図であり、掛止突起１１１ａならびにボールペンレフィル１６Ａおよびピン体１４１が軸心と一致して配置されている。
【００１６】
図１４の状態の繰出式多芯筆記具１のノック体５をノック操作することで、図１５に示すように、コイルバネ８を圧縮しながら回転カム６が前進し、回転カム６と共に前進した押棒９が回転筆記ユニット１０のピン体１４１を前進させ、ピン体１４１に連接したボールペンレフィル１６Ａの筆記先端部１６１Ａを軸筒４の軸心に沿って真っ直ぐな状態で口金３の先端口３ａから突出させることができた。ノック体５と回転カム６およびカム溝２ｂとの関係は、一般的な回転カムを利用したノック式ボールペンの構造と同様であり、図１５の状態では、カム溝２ｂの前端部の係止部２ｃに回転カム６の係止突起６ａが係止しており、ボールペンレフィル１６Ａの筆記先端部１６１Ａが先端口３ａから突出した状態で維持でき、ボールペンレフィル１６Ａ内に収容した黒色インキで筆記を行うことが可能となる。また図示はしないが、図１３に示した状態から、軸筒４をさらに軸周りに１２０度右回転させると、今度は中抜きの塗り潰しを行った掛止突起１１１ｃが軸筒４の軸心に一致した状態となり、掛止突起１１１ｃに位置するボールペンレフィル１６Ｃにより、
青色インキで筆記を行うことができ、図１３に示した状態から、軸筒４をさらに軸周りに２４０度右回転させると、今度は縦に半分の塗り潰しを行った掛止突起１１１ｂが軸筒４の軸心に一致した状態となり、掛止突起１１１ｂに位置するボールペンレフィル１６Ｂにより、赤色インキで筆記を行うことができる。軸筒４を軸周りに左方向に回転させた場合には、軸筒２の内部で回転筆記ユニット１０は逆の動きを行う。
【００１７】
尚、図１５に示した状態のノック体５を再度ノック操作すると、カム溝２ｂの前端部の係止部２ｃと回転カム６の係止突起６ａとの係止が解除され、コイルバネ８の弾発力により回転カム６および押棒９が後退し、押棒９に押圧されていた回転筆記ユニット１０のピン体１４１が鍔部１４１ｃを後方に付勢しているコイルバネ１３１によって後退し、ピン体１４１に連接されたボールペンレフィル１６Ａの筆記先端部１６１Ａを再び軸筒４内に没入させることができる。
【産業上の利用可能性】
【００１８】
本発明の繰出式多芯筆記具は、筆記体としてボールペン以外にもシャープペンシルやマーカーあるいは固形芯繰出体などを採用することが可能であり、筆記体を曲げることなく筆記先端部を先端口から突出させることができることから、例えばシャープペンシルの鉛芯や固形芯繰出体のクレヨンなど、筆記体が曲がることで当該筆記体内の収容物に悪影響が生ずる虞のある筆記体に適したものである。
【符号の説明】
【００１９】
１…繰出式多芯筆記具、
２…軸筒本体、２ａ…クリップ、２ｂ…カム溝、２ｃ…係止部、
３…口金、３ａ…先端口、
４…軸筒、
５…ノック体、５ａ…摺動突起、５ｂ…噛合部、
６…回転カム、６ａ…係止突起、６ｂ…被噛合部、
６ｃ…凹部、６ｄ…小径部、６ｅ…段部、
７…保持筒、７ａ…保持部、７ｂ…窓孔、
８…コイルバネ、
９…押棒、９ａ…後端部、９ｂ…鍔部、
１０…回転筆記ユニット、
１１…ホルダー本体、
１１１…ホルダー軸体、
１１１ａ，１１１ｂ，１１１ｃ…掛止突起、
１１２…ホルダー蓋体、
１１２ａ，１１２ｂ，１１２ｃ…掛止突起、
１２ａ，１２ｂ，１２ｃ…貫通孔、
１３１，１３２，１３３…コイルバネ、
１４１，１４２，１４３…ピン体、
１４１ａ，１４２ａ，１４３ａ…前端小径部、
１４１ｂ，１４２ｂ，１４３ｂ…後端部、
１４１ｃ，１４２ｃ，１４３ｃ…鍔部、
１５…筆記体ホルダー、
１６Ａ，１６Ｂ，１６Ｃ…ボールペンレフィル、
１６１Ａ，１６１Ｂ，１６１Ｃ…筆記先端部
１７…円環部材、
１７ａ…掛止窓、１７ｂ…前方壁、
１７１ａ，１７２ａ，１７３ａ…開口部、
Ｓ１，Ｓ２，Ｓ３…支持突部、
１８…円環部材、
１８ａ…掛止窓、１８ｂ…前方壁、
１８１ａ，１８２ａ，１８３ａ…開口部。
【図１】
2013091258.tif 000003
【図２】
2013091258.tif 000004
【図３】
2013091258.tif 000005
【図４】
2013091258.tif 000006
【図５】
2013091258.tif 000007
【図６】
2013091258.tif 000008
【図７】
2013091258.tif 000009
【図８】
2013091258.tif 000010
【図９】
2013091258.tif 000011
【図１０】
2013091258.tif 000012
【図１１】
2013091258.tif 000013
【図１２】
2013091258.tif 000014
【図１３】
2013091258.tif 000015
【図１４】
2013091258.tif 000016
【図１５】
2013091258.tif 000017
【図１６】
2013091258.tif 000018